(57)【要約】      （修正有）【課題】ジグを用いて魚釣りをする際、釣果を向上させる為に疑似餌となるジグに生きている餌の如き動きを生じさせるジグを提供する。【解決手段】ジグは、やや浮力を有する軽い素材３と鉛や鉄の如く重い素材２を合わせて固着して整形し、外形はプラスチック素材４でコーティングを施し、餌となる生きた魚を表現する如く形成する。このジグを使用に当たっては、先端５の部分の糸道７に釣竿に連なるテグスを連結し、先端６の部分の糸道８には釣針に連なるテグスを連結して用いる。また、ジグの外周は、狙う魚の生きた餌に模して小魚の鱗のような模様を有する合成樹脂でコーティングした部分を設けて整形する。【選択図】図１
0003172483.tif 000002
【実用新案登録請求の範囲】
【請求項１】
水中において浮力を有する軽量の素材と沈下する重量の素材を組み合わせた構造を有する魚釣りに用いるジグ。
【請求項２】
請求項１に於いて、水中で浮力を有する軽量の素材と沈下する重量の素材を組み合わせることにより、疑似餌となるジグに動きを生じる魚釣りに用いるジグ。
【請求項３】
請求項１および請求項２において、ジグの外周を合成樹脂でコーティングし、魚類の関心を呼ぶような模様を施し、表面に凹凸を設けた魚釣りに用いるジグ。
【考案の詳細な説明】
【技術分野】
【０００１】  本考案は、生きた餌を好む魚の習性を利用し、ジグの構造に工夫を加えて魚釣りの釣果を向上させることを目的としたジグに関するものである。
【考案の開示】
【考案が解決しようとする課題】
【０００２】  通常、主として海で魚釣りを行う場合、釣針に餌をつけて魚釣りを行う方法と疑似餌を用いて魚釣りを行う方法に集約されるが、考案が解決しようとする課題は疑似針に用いる最良のジグを提供することとする。【０００３】  従来、市販するジグの構造は多種多様であるが、総じてジグは遊泳する魚に如何にアッピール出来るかが釣果を上げる大きなポイントとなる。【０００４】  本考案は、魚釣りの際に目標とする魚類に応じて大きさやデザインは異なるが、水中において動きを生じることが魚類の関心を呼んで、唯一の効果が生まれ釣果が期待できるにもかかわらず、水中において生きている餌を表現できるジグは皆無である。【０００５】  従って、ジグの構造に工夫を加えてジグ自体に生きた動きと形態が生まれる構造とする必要があり、ジグの動きで水中において魚類にアッピールする度合いが向上すれば当然釣果を向上させることとなる。【０００６】  この考案は、これらの問題を解決することを課題とする。
【課題を解決するための手段】
【０００７】  本考案は前述の課題を解決するため、ジグを構成する素材の組み合わせを工夫し、やや浮力を有する軽い素材と重さを有する素材を適切に組み合わせて製作し、ジグ自体にも若干の捻じれを有する形態とする。【０００８】  すなはち、本考案のジグは水中においてジグや釣針に連なるテグスを動かした場合や潮流を受けた場合にジグに不安定な動きが生じ、水中においてジグがひらひらと動いたり複雑な動きを醸しだして、あたかも生きた餌が泳いでいるような錯覚を魚類に与えられる。【０００９】  いわゆる、この考案の構造によりジグに不安定な動きが生じることになるので、すべての魚類は生きた状態の餌を好むことから、従来に比して遊泳する魚類に殊更にアッピールできることとなり課題を解決する手段となる。
【考案の効果】
【００１０】  本考案のジグを使用することにより、次に述べるような効果を生じる。【００１１】  本考案のジグは、狙う魚に応じてジグのデザイン等に工夫を凝らし、形状や大きさの異なるジグを適宜に用いることによって釣果を向上させることができる。【００１２】  その結果、従来型のジグを用いても効果が少なかった魚類にも、このジグを用いることにより釣果が期待できることとなり、魚釣りに妙味が生じることとなる。【００１３】  本考案のジグは、小型の魚釣りから大型の魚釣りまで応用できるものであり、ジグの形状や大きさなどを自由に選択できるので、魚釣りに醍醐味が増加することになる。
【考案を実施するための最良の状態】
【００１４】  本考案は、従来のジグと比べて構造上異なったものであり、軽い素材と重い素材で構成されており、形状も従来のジグと異なり装飾にも工夫を凝らし、魚類の関心が最大限に得られるような外形とする。
【００１５】  いわゆる本考案のジグは、疑似餌を生きた状態に見せかけ、ひらひらと泳ぐ動作から突発的な動きを表現するため、ジグを構成する素材の組み合わせを適切に考慮した結果、水中において遊泳する如き要素を有する形状を形成することとする。
【００１６】  本考案のジグは、狙う魚類に応じて大小様々な形態のものを用意し、どのジグを用いて如何なる魚類を狙って魚釣りをするかは釣り人の判断と選択に対応できるものとする。
【００１７】  もちろん、ジグの装飾とデザインも狙う魚類に好まれるものとし、この種の魚にはこれと云った具合に選択の余地を有するジグに、本考案の構造を応用して大小様々なジグを製作することとする。
【００１８】  本考案のジグは、釣り専用の形態を成して生きた状態の生物を餌とする習性を持つ魚類に有効であって、磯釣りと舟釣りにかかわらず使用できる特性を有する。
【実施例】  以下、本考案による実施例を図面に基づいて説明する。【００１９】  図１において、ジグの相対的な形状を表わすものであり、ジグ１は鉛や鉄の如く重い素材２と少し浮力を有する軽い素材３を包むように合成樹脂４でコーティングして餌となる魚体に似せた形態とする。【００２０】    本考案のジグの形状は、図１に示すジグ１の如くであるが、先端５と先端６には、テグスや釣針連結し固定できる環状の糸道７と８を配して固定する。【００２１】  また、本考案のジグの構造は、図１においてやや浮力を有する軽い素材３と鉛や鉄の如く重い素材２を合わせて固着して整形し、外形はプラスチック素材４でコーティングを施し、餌となる生きた魚を表現する如く形成する。【００２２】  本考案のジグ１を使用して魚釣りを行う場合は、各図において先端５の部分の糸道７に釣竿に連なるテグス９を連結し、先端６の部分の糸道８には釣針１０に連なるテグス１１を連結して用いる。【００２３】  図２と図３において、本考案のジグの外周は、狙う魚の生きた餌に模して小魚の鱗のような模様を有する合成樹脂でコーティングした部分１２を施して整形する。【００２４】  図３において、本考案のジグ１を断面で表わすと、やや浮力を有する軽い素材３と重い素材２を縦に添設して固着し、表面１２の形状は、海中のジグを取り巻く水流に感応させるためにやや窪みや捻じれた部分を有する外形に整形することにより、水中における水切り音も発生する。【００２５】  図４において、一般的にジグ１を使用して魚釣りを行う場合は、釣竿に連結したテグス９の中間にセットし、ジグ１の糸道７にテグス９の先端を固着し、ジグ１の先端６に設けた糸道８にはに連なるテグス１１の先端に釣針１０を連結固着して魚釣りを行うことになる。【００２６】  前項においては、一般的な魚釣りにジグを用いて行う有様を説明したが、魚釣りは釣り人の得手や狙う魚の種類や釣り場によっては、釣竿やウキを使用せずテグス９を手で操って漁を行う場合もあり、この場合は、見計らった水深までテグス９を伸ばし、その先端にジグ１や釣針１０を連ねて漁をする手釣りと呼ばれる方法もある。
【産業上の利用可能性】
【００２７】  本考案のジグは、海における魚釣りに欠かせない必需品であり、先に述べた如く釣果が向上できる釣道具となるので、産業上の利用可能性に優れている。【００２８】  本考案のジグは、手づくりも可能であり工業的に大量生産も可能であるため、生産性に優れているので産業上の利用可能性は高い。【００２９】  本考案のジグは、生きた魚体を好んで追尾して餌とする魚種の釣りに適応できるものであり、非常に汎用性を有するため大抵の魚類に対応できるので普及性にも優れている。
【図面の簡単な説明】
【００３０】
【図１】本考案のジグの外形の構造を説明する投影図。
【図２】本考案のジグを正面から見た断面図。
【図３】本考案のジグを側面から見た断面図。
【図４】本考案のジグを用いて魚釣りをする際の釣具の配置方法を説明する図。
【符号の説明】
【００３１】１．ジグ。
２．ジグを構成する重い素材。
３．ジグを構成する軽い素材。
４．合成樹脂でコーティングした部分。
５．６．ジグの先端部分。
７．釣竿に連なるテグスを連結する糸道。
８．釣針に連なるテグスを連結する糸道。
９．釣竿に連なるテグス。
１０．釣針。
１１．釣針に連なるテグス。
１２．ジグの表面に窪みや捻じれを有するように合成樹脂でコーティングした部分。
【図１】
0003172483.tif 000003
【図２】
0003172483.tif 000004
【図３】
0003172483.tif 000005
【図４】
0003172483.tif 000006